(57)【要約】【課題】異なる使用環境においても電子部品の温度上昇を正確に予測することができる撮像装置を提供する。【解決手段】カメラ１は、撮像素子３、画像処理部４、充電池５、撮像素子３のＯＢ部の温度データを検出する温度センサ３１、４１、５１及び撮像素子３のＯＢ出力と、撮像素子３、画像処理部４、充電池５、撮像素子３のＯＢ部の使用上限温度の情報が記憶された記憶部９と、温度センサ３１、４１、５１及びＯＢ出力の温度データに基づいて、カメラ１の予測外気温を演算し、演算した予測外気温の情報と温度データと使用上限温度の情報とに基づいて、撮像素子３、画像処理部４、充電池５、撮像素子３のＯＢ部の残りの使用可能時間を演算する制御部１０とを備える。【選択図】図２
2014171002.tif 000002
【特許請求の範囲】
【請求項１】
電子部品を搭載した撮影装置であって、
前記電子部品の温度を検出する温度検出部と、
前記電子部品の使用上限温度の情報が記憶された記憶部と、
前記温度検出部の温度検出情報に基づいて、当該撮影装置の外気温を演算し、演算した前記外気温の情報と前記温度検出情報と前記使用上限温度の情報とに基づいて、前記電子部品の残りの使用可能時間を演算する制御部と、
を備える撮影装置。
【請求項２】
請求項１に記載の撮影装置において、
前記記憶部は、当該撮影装置の外気温に対する前記電子部品の単位時間当たりの温度変化を示す温度変化情報を記憶し、
前記制御部は、前記温度変化情報と前記温度検出情報とに基づいて、前記外気温を演算すること、
を特徴とする撮影装置。
【請求項３】
請求項２に記載の撮影装置において、
前記温度検出部は、当該撮影装置の複数の前記電子部品のそれぞれに設けられ、
前記制御部は、
前記各温度検出部に係る前記外気温をそれぞれ演算し、
演算した前記外気温の平均値を演算し、
演算した前記平均値と、前記温度検出部の各温度検出情報と、前記電子部品のそれぞれの使用上限温度の情報とに基づいて、前記各電子部品の使用可能時間を演算すること、
を特徴とする撮影装置。
【請求項４】
請求項３に記載の撮影装置において、
前記制御部は、演算した前記外気温のうち、信頼性の低い外気温を除外して前記外気温の平均値を演算すること、
を特徴とする撮影装置。
【発明の詳細な説明】
【技術分野】
【０００１】
本発明は、撮像装置に関するものである。
【背景技術】
【０００２】
従来、搭載される電子部品の異常発熱によるカメラの破損等を防止するために、カメラの電子部品（例えば、充電池）に設けられた温度センサの検出情報に基づいて、温度がカメラの使用可能な上限温度を超える時間を予測して、警告を発するカメラが提案されている（例えば、特許文献１）。
しかし、このカメラは、充電池に設けられた温度検出部の温度情報のみに基づいて使用上限温度を超える時間を予測しているので、カメラの使用環境の温度、すなわち外気温の影響によって、予測した時間が不正確になる場合があった。
【先行技術文献】
【特許文献】
【０００３】
【特許文献１】特開２００９−２７４１９号公報
【発明の概要】
【発明が解決しようとする課題】
【０００４】
本発明の課題は、異なる使用環境下においても電子部品の温度上昇を正確に予測することができる撮像装置を提供することである。
【課題を解決するための手段】
【０００５】
前記課題を解決するために、請求項１の発明は、電子部品を搭載した撮影装置であって、前記電子部品の温度を検出する温度検出部と、前記電子部品の使用上限温度の情報が記憶された記憶部と、前記温度検出部の温度検出情報に基づいて、当該撮影装置の外気温を演算し、演算した前記外気温の情報と前記温度検出情報と前記使用上限温度の情報とに基づいて、前記電子部品の残りの使用可能時間を演算する制御部と、を備える撮影装置である。
請求項２の発明は、請求項１に記載の撮影装置において、前記記憶部は、当該撮影装置の外気温に対する前記電子部品の単位時間当たりの温度変化を示す温度変化情報を記憶し、前記制御部は、前記温度変化情報と前記温度検出情報とに基づいて、前記外気温を演算すること、を特徴とする撮影装置である。
請求項３の発明は、請求項２に記載の撮影装置において、前記温度検出部は、当該撮影装置の複数の前記電子部品のそれぞれに設けられ、前記制御部は、前記各温度検出部に係る前記外気温をそれぞれ演算し、演算した前記外気温の平均値を演算し、演算した前記平均値と、前記温度検出部の各温度検出情報と、前記電子部品のそれぞれの使用上限温度の情報とに基づいて、前記各電子部品の使用可能時間を演算すること、を特徴とする撮影装置である。
請求項４の発明は、請求項３に記載の撮影装置において、前記制御部は、演算した前記外気温のうち、信頼性の低い外気温を除外して前記外気温の平均値を演算すること、を特徴とする撮影装置である。
【発明の効果】
【０００６】
本発明によれば、異なる使用環境下においても電子部品の温度上昇を正確に予測することができる。
【図面の簡単な説明】
【０００７】
【図１】実施形態のカメラ１の全体構成を示す概略図である。
【図２】実施形態のカメラ１の全体構成を説明するブロック図である。
【図３】実施形態のカメラ１の記憶部９に記憶された温度変化の情報を説明する図である。
【図４】実施形態のカメラ１の電源遮断後の外気温度の演算処理を説明するフローチャートである。
【図５】実施形態のカメラ１の電源投入後の動作を説明するフローチャートである。
【発明を実施するための形態】
【０００８】
（実施形態）
以下、図面等を参照して、本発明の実施形態について説明する。
図１は、実施形態のカメラ１の全体構成を示す概略図である。
図２は、実施形態のカメラ１の全体構成を説明するブロック図である。
図３は、実施形態のカメラ１の記憶部９に記憶された温度変化の情報を説明する図である。図３（ａ）は、外気温２０℃におけるカメラ１の各部の時間経過に伴う温度変化の軌跡を示す図であり、図３（ｂ）は、カメラ１の各部の温度変化の傾きと外気温との関係を示す図である。
図３（ａ）は、縦軸がカメラ１の撮像素子３、画像処理部４、充電池５、撮像素子３のＯＢ部（後述する）の測定温度を示し、横軸がカメラ１の電源投入後の経過時間を示す。
【０００９】
カメラ（撮影装置）１は、図１及び図２に示すように、レンズ部２、撮像素子３、画像処理部４、充電池５、表示部６、操作部７、シャッタ部８、記憶部９、制御部１０等を備えたデジタルカメラである。
カメラ１を構成する電子部品の一部には、その電子部品の温度データを検出する温度センサが設けられている。本実施形態では、撮像素子３、画像処理部４、充電池５のそれぞれに温度センサ３１、４１、５１が設けられている。
レンズ部２は、図１に示すように、カメラ１の前部に設けられ、被写体の光Ａ１を入射し、撮影目的に応じて被写体像を拡大又は縮小して、撮像素子３へと射出するズーム機能を有したレンズ群である。
撮像素子３は、ＣＣＤやＣＭＯＳ等の光電変換素子であって、複数の画素から構成される矩形形状の撮像領域を有している。そして、撮像素子３は、その結像面に結像された像を電気信号に変換し、被写体像に対応する画像信号を画像処理部４へと出力する。
【００１０】
画像処理部４は、撮像素子３から入力した画像信号に対して、補間や、階調変換、輪郭強調などの画像処理を行う部分である。また、画像処理部４は、撮像素子３のオプティカルブラック部（以下、ＯＢ部という）の暗電流出力（以下、ＯＢ出力という）を検出し、制御部１０に出力する。
充電池５は、カメラ１の各部に電力を供給する充電式の電池である。
表示部６は、撮影した被写体像を表示したり、カメラ１の設定画面を表示したりする液晶モニタであり、カメラ１の背面に設けられている。
操作部７は、カメラ１の上部に設けられ、被写体像の撮影を実行するレリーズスイッチである。操作部７は、操作情報を制御部１０に出力する。
シャッタ部８は、レンズ部２と撮像素子３との間に配置されている。シャッタ部８は、不図示の複数のシャッタ羽根群を備え、操作部７の操作に応じてシャッタ羽根群を開閉させ、撮像素子３にレンズ部２から入射する光Ａ１を入射させる。
【００１１】
記憶部９は、カメラ１の動作に必要なプログラム、情報等を記憶するための半導体メモリ素子等の記憶装置である。
また、記憶部９には、カメラ１の電子部品の使用上限温度の情報が記憶されており、本実施形態では、撮像素子３、画像処理部４、充電池５、撮像素子３のＯＢ部についての使用上限温度が記憶されている。
更に、記憶部９には、撮像素子３、画像処理部４、充電池５、撮像素子３のＯＢ部のカメラ１の電源投入後の時間経過に伴う温度上昇の情報と、電源遮断後の時間経過に伴う温度下降の情報とが記録されている。具体的には、記憶部９には、図３（ａ）に示すように、例えば、カメラ１の外気温が２０℃環境下で、カメラ１の電源投入後の経過時間ｔに対する各部の温度センサ３１、４１、５１の温度データＴと、撮像素子３のＯＢ出力から演算して検出されたＯＢ部の温度データＴ（後述する）とからなる温度上昇の軌跡が記録されている。
【００１２】
また、同様に、記憶部９には、カメラ１の電源遮断後の経過時間ｔに対して測定された、カメラ１の各部の温度センサ３１、４１、５１の温度データＴと、撮像素子３のＯＢ部の温度データＴとからなる温度下降の軌跡とが記録されている。
更に、記憶部９には、図３（ｂ）に示すように、上述の温度上昇及び温度下降の軌跡のそれぞれから求められる単位時間当たりの温度変化を示す温度上昇の傾きａと、温度下降の傾きｂとが記憶されている。
なお、本実施形態では、記憶部９には、複数の異なる外気温（１０、２０、３０、４０、５０℃の５種類）の環境下における温度上昇の軌跡の情報及び温度下降の軌跡の情報が記録されており、これに伴い、温度上昇の傾きａと温度下降の傾きｂも上記異なる外気温の環境ごとに記録されている（図３（ｂ）参照）。
【００１３】
制御部１０は、カメラ１の各部を統括制御する制御回路であり、例えばＣＰＵ等から構成される。制御部１０は、撮像素子３、画像処理部４、充電池５、表示部６、操作部７、シャッタ部８、記憶部９等と接続される。また、制御部１０は、画像処理部４が検出した撮像素子３のＯＢ出力を入力し、そのＯＢ出力に基づいて撮像素子３のＯＢ部の温度データＴを検出する。
制御部１０は、記憶部９に記憶された上述の温度変化の情報と、各部に設けられた温度センサ３１、４１、５１の温度データＴ及び上述のＯＢ部の温度データＴ等に基づいて、カメラ１の外気温を予測する。そして、制御部１０は、その予測した外気温と、記憶部９に記憶した温度変化の情報及び使用上限温度の情報と、各温度データＴとに基づいて、カメラ１の各部（撮像素子３、画像処理部４、充電池５）の使用可能な残りの予測時間を演算する。
【００１４】
次に、カメラ１の電源遮断時における外気温の演算について説明する。
図４は、本実施形態のカメラ１の電源遮断時の外気温の演算処理を説明するフローチャートである。
カメラ１が電源投入状態から電源が遮断されたら、図４に示すように、ステップ（以下、Ｓという）１０１において、制御部１０は、カメラ１の各部の温度センサ３１、４１、５１と、撮像素子３のＯＢ部の温度データＴ１を検出する。
Ｓ１０２において、制御部１０は、一定時間（例えば、５分）経過するの待った上で、Ｓ１０３において、制御部１０は、カメラ１の各部の温度センサ３１、４１、５１及び撮像素子３のＯＢ部のそれぞれの温度データＴ２を検出する。
そして、Ｓ１０４において、制御部１０は、各温度データを参照して各部（撮像素子３、画像処理部４、充電池５、撮像素子３のＯＢ部）が放熱しているか否かを判定する。ここで、放熱しているか否かの判定は、検出した温度データＴ１、Ｔ２と、温度データＴ１の検出後、温度データＴ２の検出までの経過時間ｔ１とに基づいて行われる。
【００１５】
具体的には、撮像素子３の場合においては、制御部１０は、Ｓ１０３において温度センサ３１で検出した温度データＴ２と、Ｓ１０１において温度センサ３１で検出した温度データＴ１と、温度データＴ１の検出から温度データＴ２の検出までの経過時間ｔ１とに基づいて、カメラ１の電源遮断後の撮像素子３の温度下降の傾きｂ（ｂ＝（Ｔ２−Ｔ１）／ｔ１）を演算する。それから、制御部１０は、記憶部９に記録した撮像素子３の温度下降の傾きの情報（図３（ｂ）参照）を参照し、演算した温度下降の傾きｂに基づいて、カメラ１の外気温Ｔｏを求める。例えば、演算した温度下降の傾きｂがｂ２に一致又は近似している場合、制御部１０は、撮像素子３に基づく外気温Ｔｏが２０℃であると判定する。
【００１６】
そして、制御部１０は、求めた外気温Ｔｏと、Ｓ１０３において検出した温度データＴ２とを比較して、撮像素子３が十分に放熱しているか否かを判定する。ここで、放熱しているか否かの判定は、Ｔ２とＴｏの差の絶対値が所定の温度（例えば、２℃）以下であるか否かで判定され、Ｔ２とＴｏの差の絶対値が２℃以下である場合、制御部１０は、撮像素子３が十分に放熱していると判定する。一方、Ｔ２とＴｏの差の絶対値が２℃以下でない場合、撮像素子３が放熱していないものと判定する。制御部１０は、画像処理部４、充電池５、撮像素子３のＯＢ部についても同様の判定を行う。
【００１７】
上記判定により、カメラ１の各部の全てが十分に放熱されているものと判定された場合（Ｓ１０４、Ｙｅｓ）、Ｓ１０５に進む。一方、カメラ１の各部のうち、１箇所でも十分に放熱されていないものと判定された場合（Ｓ１０４、Ｎｏ）、Ｓ１０６に進む。
Ｓ１０５において、制御部１０は、検出した各温度データＴ２をカメラ１の各部の外気温データとする。
Ｓ１０６において、制御部１０は、放熱されていないものと判断された電子部品について、その温度データと、記憶部９に記憶された温度変化の情報（図３（ｂ）参照）とに基づいて外気温を演算する。放熱されているものと判断された電子部品の温度データＴ２は、そのまま、その電子部品の外気温データとする。
【００１８】
例えば、放熱されていないと判断された電子部品が撮像素子３である場合、制御部１０は、Ｓ１０３において検出した温度データＴ２と、Ｓ１０１において検出した温度センサ３１の温度データＴ１と、温度データＴ１の検出から温度データＴ２の検出までの経過時間ｔ１とに基づいて、カメラ１の電源遮断後の撮像素子３の温度下降の傾きｂ（ｂ＝（Ｔ２−Ｔ１）／ｔ１）を演算する。それから、制御部１０は、記憶部９に記憶した撮像素子３の温度下降の傾きの情報（図３（ｂ）参照）を参照し、演算した温度下降の傾きｂに基づいて、カメラ１の外気温Ｔｏを求める。例えば、演算した温度下降の傾きｂがｂ２に一致又は近似している場合、制御部１０は、撮像素子３に基づく外気温Ｔｏが２０℃であると判定し、この値を撮像素子３の外気温データとする。
【００１９】
Ｓ１０７において、制御部１０は、カメラ１の各部の外気温データのそれぞれの差を演算して、それぞれの差が３℃以内であるか否かを判定する。
外気温データのそれぞれの差が３℃以内であると判定された場合（Ｓ１０７、Ｙｅｓ）、Ｓ１０８に進み、少なくとも一部の外気温データの差が３℃より大きいと判定された場合（Ｓ１０７、Ｎｏ）、Ｓ１１６に進む。
【００２０】
Ｓ１０８において、制御部１０は、カメラ１の各部の外気温データがいずれも３℃以内の範囲を示しているので、充電池５に設けられた温度センサ５１は正常であると判断する。これ以降のＳ１０９〜Ｓ１１４において、制御部１０は、撮像素子３や、画像処理部４等の電源を遮断して、充電池５の温度センサ５１のみに基づいて、外気温データの演算を行う。これにより、制御部１０は、電力消費の大きい撮像素子３や画像処理部４を温度検出のために改めて起動させることなく、電力消費の少ない充電池５の温度センサ５１により電源遮断時のカメラ１の外気温を演算することができ、カメラ１の電力消費量を低減させることができる。
Ｓ１０９において、制御部１０は、カメラ１の各部の外気温データの平均値を演算し、Ｓ１１０において、その平均値をカメラ１の予測外気温として記憶部９に記憶する。
それから、Ｓ１１１において、制御部１０は、一定時間（例えば、１分）待機するとともにカウンタＣの値を１増やす。
【００２１】
Ｓ１１２において、制御部１０は、カウンタＣの値がＣ＝１０００に到達したか否かを判定する。カウンタＣの値が１０００に到達したと判定した場合（Ｓ１１２、Ｙｅｓ）、Ｓ１１５に進み、到達していないと判定した場合（Ｓ１１２、Ｎｏ）、Ｓ１１３に進む。
Ｓ１１３において、制御部１０は、充電池５に設けられた温度センサ５１の温度データのみを検出し、その検出した温度データをカメラ１の予測外気温として記憶部９に記憶する。
Ｓ１１４において、制御部１０は、カメラ１に電源が投入されたか否かを判定し、電源が投入されていると判定した場合（Ｓ１１４、Ｙｅｓ）、Ｓ１２０に進み、電源が投入されていないと判定した場合（Ｓ１１４、Ｎｏ）、Ｓ１１１に戻る。
一方、カウンタＣの値がＣ＝１０００に到達したと判定した場合（Ｓ１１２、Ｙｅｓ）、Ｓ１１５において、制御部１０は、カウンタＣの値をリセット、すなわちＣ＝０にして、Ｓ１１９に進む。
【００２２】
Ｓ１０７において少なくとも一部の外気温データの差が３℃より大きいと判定された場合（Ｓ１０７、Ｎｏ）、Ｓ１１６において、制御部１０は、それぞれの差が３℃以内となる外気温データの平均値を演算する。そして、Ｓ１１７において、演算した平均値を予測外気温として記憶部９に記憶し、Ｓ１１８において、一定時間（例えば、１０分）経過するのを待機する。
そして、Ｓ１１９において、制御部１０は、カメラ１の電源が投入された否かを判定し、電源が投入されていると判定した場合（Ｓ１１９、Ｙｅｓ）、Ｓ１２０に進み、電源が投入されていないと判定した場合（Ｓ１１９、Ｎｏ）、Ｓ１０３に戻る。
Ｓ１２０において、制御部１０は、外気温の演算を終了する。
以上の動作により、カメラ１は、電源遮断中において、カメラ１の予測外気温を正確に演算することができる。
【００２３】
次に、カメラ１の電源投入後における外気温データの演算について説明する。
図５は、本実施形態の電源投入後のカメラ１の動作を説明するフローチャートである。
不図示の電源スイッチにより、カメラ１の電源が投入されたら、図５に示すように、Ｓ２０１において、制御部１０は、電源投入直後の各部の温度センサ３１、４１、５１及び撮像素子３のＯＢ部の温度データＴ３の検出を行う。
そして、Ｓ２０２において、制御部１０は、一定時間（例えば、３分）経過するのを待機した上で、Ｓ２０３において、再び、各部の温度センサ３１、４１、５１及び撮像素子３のＯＢ部の温度データＴ４の検出を行う。
それから、Ｓ２０４において、制御部１０は、検出した温度データＴ３、Ｔ４と、温度データＴ３の検出から温度データＴ４の検出までの経過時間ｔ２とに基づいて、カメラ１の各部の外気温を演算する。
【００２４】
具体的には、撮像素子３の場合、制御部１０は、Ｓ２０３において検出した温度データＴ４と、Ｓ２０１において検出した電源投入直後の温度データＴ３と、温度データＴ３の検出から温度データＴ４の検出までの経過時間ｔ２とに基づいて、温度情報の傾きａ（ａ＝（Ｔ４−Ｔ３）／ｔ２）を演算する。そして、制御部１０は、記憶部９に記憶した撮像素子３の温度上昇の傾きの情報（図３（ｂ）参照）を参照し、演算した温度上昇の傾きａに基づいて、カメラ１の外気温データを求める。例えば、演算した温度上昇の傾きａがａ２に一致又は近似している場合、制御部１０は、撮像素子３に基づく外気温データが２０℃であると判定する。
また、同様にして、制御部１０は、画像処理部４、充電池５、撮像素子３のＯＢ部に基づく外気温データについても求める。
【００２５】
次に、Ｓ２０５において、制御部１０は、カメラ１の各部の外気温データのそれぞれの差を演算して、その差が３℃以内であるか否かを判定する。
外気温データのそれぞれの差が全て３℃以内であると判定された場合（Ｓ２０５、Ｙｅｓ）、Ｓ２０６に進み、少なくとも一部の外気温データの差が３℃以内でないと判定された場合（Ｓ２０５、Ｎｏ）、Ｓ２０７に進む。
Ｓ２０６において、制御部１０は、カメラ１の各部の外気温データがいずれも３℃以内であるので、カメラ１の各部の全ての外気温データの平均値を演算し、その平均値をカメラ１の予測外気温として記憶部９に記憶する。
Ｓ２０７において、制御部１０は、それぞれの差が３℃以内となる外気温データのみの平均値を演算し、その平均値を予測外気温として記憶部９に記憶する。
Ｓ２０８において、制御部１０は、カメラ１の各部（撮像素子３、画像処理部４、充電池５）の使用上限温度に達するまでの残りの予測時間ｔｐを演算する。予測時間ｔｐは、以下の式によって演算される。
ｔｐ＝（Ｔｐ−Ｔ４）／ａ
【００２６】
ここで、ｔｐは、カメラ１の各部の使用上限温度に達するまでの残りの予測時間であり、Ｔ４は、上述したようにＳ２０３において各温度センサ３１、４１、５１及び撮像素子３のＯＢ部から検出された測定データであり、Ｔｐは、記憶部９に記憶されたカメラ１の各部の使用上限温度であり、ａは、予測外気温の環境下におけるカメラ１の各部の時間経過に対する温度上昇の傾きである。
【００２７】
例えば、カメラ１の予測外気温が２０℃である場合、制御部１０は、記憶部９から、外気温２０℃の単位時間当たりの温度変化を示す温度上昇の傾きの情報（図３（ｂ）参照）を、撮像素子３、画像処理部４、充電池５、撮像素子３のＯＢ部のそれぞれから読み出す。この場合、読み出した各部の傾きは、撮像素子３がａ２、画像処理部４がａ１２、充電池５がａ２２、撮像素子３のＯＢ部がａ３２となる。
このとき、撮像素子３の使用上限温度がＴｐ＝６０℃であり、撮像素子３の温度上昇の傾きがａ２＝０．２であり、Ｓ２０３において温度センサ３１から検出された温度データがＴ４＝４０℃であるとした場合、撮像素子３の使用上限温度Ｔｐまでに達する残りの予測時間ｔｐは、上記式によって１００分と演算される。同様にして、制御部１０は、画像処理部４、充電池５、撮像素子３のＯＢ部についての使用上限温度に達するまでの残りの各予測時間ｔｐも演算する。
なお、充電池５は、異常発熱が発生すると温度の上昇が非常に早いため、即座にカメラ１の電源が遮断される場合が多いので、充電池５の使用上限温度に達するまでの残りの予測時間の演算は省略してもよい。
【００２８】
そして、Ｓ２０９において、制御部１０は、カメラ１の各部の予測時間ｔｐのうち、所定の時間（例えば、５分）以下の予測時間ｔｐが存在するか否かを判定する。予測時間ｔｐのうち、少なくとも１つの予測時間ｔｐが５分以下であると判定した場合（Ｓ２０９、Ｙｅｓ）、Ｓ２１０に進み、いずれの予測時間ｔｐも５分以下でないと判定した場合（Ｓ２０９、Ｎｏ）、Ｓ２１２に進む。
【００２９】
Ｓ２１０において、制御部１０は、５分以下の予測時間ｔｐに、ｔｐ＝０分の予測時間が含まれているか否かを判定する。ｔｐ＝０分の予測時間が含まれていると判定した場合（Ｓ２１０、Ｙｅｓ）、Ｓ２１３に進み、含まれていないと判定した場合（Ｓ２１０、Ｎｏ）、Ｓ２１１に進む。
Ｓ２１１において、制御部１０は、５分以下の予測時間ｔｐのうち、最も短い予測時間ｔｐを示した電子部品について、その電子部品名と予測時間ｔｐとを表示部６に表示する。例えば、最も短い予測時間ｔｐ（＝２分）を示した電子部品が画像処理部４である場合、表示部６には、「画像処理部の温度が上昇しています。あと２分でカメラの電源が遮断されます」等の警告が表示される。これにより、撮影者は、カメラ１の電源がいつ遮断されるかを予め認識することができると共に、カメラ１のどの部分が発熱しているのかを認識することができる。
Ｓ２１２において、制御部１０は、一定時間（例えば、１分）経過した後にＳ２０３に戻り、Ｓ２０３以降の動作を繰り返す。
【００３０】
Ｓ２１０においてカメラ１の各部のうち、いずれかの予測時間ｔｐが０分であると判定された場合（Ｓ２１０、Ｙｅｓ）、Ｓ２１３において、制御部１０は、カメラ１の電源を遮断する。これにより、カメラ１は、各電子部品の使用可能時間を越えて駆動してしまうのを回避することができ、発熱によるカメラ１の破損を防ぐことができる。
【００３１】
以上説明したように、本実施形態のカメラ１には以下のような効果がある。
（１）制御部１０は、カメラ１の各部（撮像素子３、画像処理部４、充電池５）の温度センサ３１、４１、５１及び撮像素子３のＯＢ部の温度データと、各部の使用上限温度の情報に基づいて、カメラ１の各部の使用可能な残りの予測時間を演算する。これにより、カメラ１の電源が遮断されるまでの時間を撮影者に把握させることができ、カメラ１の電源が突然遮断されてしまうのを防止することができる。また、カメラ１に既存の温度センサ等を用いているので、カメラに改めて温度センサを設ける必要が無く、カメラ１の製造コストが増大するのを回避することができる。
【００３２】
（２）制御部１０は、各温度センサ３１、４１、５１及び撮像素子３のＯＢ部の温度データに基づいて、カメラ１の予測外気温を演算し、演算した予測外気温と温度データと使用上限温度の情報とに基づいて、カメラ１の各部の使用可能な残りの予測時間を演算するので、より正確な予測時間を求めることができる。
（３）カメラ１は、異なる外気温に対する各電子部品の単位時間当たりの温度変化の傾き情報を記憶部９に記憶し、制御部１０が、その傾き情報と温度データとに基づいて、外気温データを求めているので、より具体的に予測外気温を演算することができる。
【００３３】
（４）制御部１０は、複数の電子部品（撮像素子３、画像処理部４、充電池５）から温度データを取得し、各電子部品に係る外気温データを演算することができるので、より正確な予測外気温を演算することができ、各電子部品の使用可能な残りの予測時間を演算することができる。
（５）制御部１０は、演算した外気温のうち、信頼性の低い外気温データを除外して外気温データの平均値を演算しているので、一の電子部品の温度データが異常な値であっても、それを除外して正確な予測外気温を求めることができ、正確な使用可能時間を演算することができる。
【００３４】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３５】
（変形形態）
（１）実施形態において、温度データを取得する電子部品として、撮像素子３、画像処理部４、充電池５、撮像素子３のＯＢ部の４種類の電子部品を用いる例を示したが、これに限定されず、これ以外のカメラ１に実装される電子部品（例えば、表示部等）を用いることも可能である。また、温度データを取得する電子部品は４種類に限られず、１種類以上３種類以下、又は、５種類以上の電子部品を用いることも可能である。
（２）実施形態において、制御部１０は、所定の時間（５分）以下の予測時間ｔｐのうち、最も短い予測時間ｔｐを示した電子部品について、その電子部品名と予測時間ｔｐとを表示部６に表示する例を示したが、これに限定されない。例えば、所定の時間以下の予測時間ｔｐの全ての電子部品名と予測時間ｔｐとを表示部に表示するようにしてもよい。
【符号の説明】
【００３６】
１：カメラ、３：撮像素子、４：画像処理部、５：充電池、９：記憶部、１０：制御部、３１：温度センサ、４１：温度センサ、５１：温度センサ
【図１】
2014171002.tif 000003
【図２】
2014171002.tif 000004
【図３】
2014171002.tif 000005
【図４】
2014171002.tif 000006
【図５】
2014171002.tif 000007